(57)【要約】【課題】棚板にさまざまな方向から外力が加わった場合でも、棚板が、ブラケットおよび支柱から脱落したり、またはがたついたりすることがないようにした商品陳列什器における棚板の取付構造を提供する。【解決手段】左右１対の支柱１の対向面に係止孔２を設け、各係止孔２に、前後方向を向くブラケット３の後端に設けた外側方を向く係止爪４を係止し、各ブラケット３の前端に設けた前向き突部６を、両ブラケット３上に載置した棚板８の前端より垂下する前面板１２に設けた貫通孔１５に嵌合し、かつ各ブラケット３の後部上縁に設けた上向き突部７を、棚板８の水平板９に設けた貫通孔１６に嵌合する。【選択図】      図１
2009090038.tif 000002
【特許請求の範囲】
【請求項１】
左右１対の支柱の対向面に係止孔を設け、各係止孔に、前後方向を向くブラケットの後端に設けた外側方を向く係止爪を係止し、各ブラケットの前端に設けた前向き突部を、前記両ブラケット上に載置した棚板の前端より垂下する前面板に設けた係合凹部に嵌合し、かつ前記各ブラケットの後部上縁に設けた上向き突部を、前記棚板の水平部に設けた係合凹部に嵌合したことを特徴とする商品陳列什器における棚板の取付構造。
【請求項２】
ブラケットにおける前後方向を向く本体部の後部外側面を、各支柱の内面に当接させた請求項１記載の商品陳列什器における棚板の取付構造。
【請求項３】
棚板の前面板に設けた係合凹部を、前後方向に貫通する係合孔とし、この係合孔の前面を、前面板の前面に設けたプライスカードホルダにより覆った請求項１または２記載の商品陳列什器における棚板の取付構造。
【請求項４】
棚板の後端に設けた後面板を水平部より垂下させ、その下端部を、ブラケットの後部上端に設けた下向き凹入段部に係合させた請求項１〜３のいずれかに記載の商品陳列什器における棚板の取付構造。
【請求項５】
棚板を、商品を載置する水平板と、その前端に固着した前面板とを備えるものとし、かつ前記水平板と前面板とを、透明または半透明のアクリル板により形成した請求項１〜４のいずれかに記載の商品陳列什器における棚板の取付構造。
【発明の詳細な説明】
【技術分野】
【０００１】
本発明は、商品陳列什器における棚板の取付構造に関する。
【背景技術】
【０００２】
スーパーマーケットやコンビニエンスストア等において使用されている陳列棚においては、左右１対の支柱の前面に、複数の係止孔を上下方向に等間隔をもって列設し、いずれかの係止孔に、前後方向を向くブラケットの後端に設けた、後下方を向く係止爪を係止し、左右１対のブラケット上に棚板を載置したものが多い(例えば特許文献１参照)。
【０００３】
また、係止孔を、支柱の前面における左右の縁部に設け、そこに係合させたブラケットの係止爪の側面が、支柱の内側面に当接するようにすることにより、ブラケットの左右いずれかの方向への回動を阻止するようにしたものもある(例えば特許文献２参照)。
【特許文献１】特開２００６−２９６９０５号公報
【特許文献２】特開平１０−１５５６１４号公報
【発明の開示】
【発明が解決しようとする課題】
【０００４】
しかし、特許文献１に記載されているものにおいては、棚板に顧客のバック等が衝突したとき、棚板がブラケットに対して位置ずれしたり、甚だしいときは、ブラケットから脱落したりすることがある。
【０００５】
特許文献２に記載されているものにおいては、ブラケットの左右いずれかの方向への回動が防止されるだけで、棚板の前部に上向きの外力が加わった際には、やはり棚板がブラケットから脱落するおそれがある。
【０００６】
本発明は、従来の技術が有する上記のような問題点に鑑み、棚板にさまざまな方向から外力が加わった場合でも、棚板が、ブラケットおよび支柱から脱落したり、またはがたついたりすることがないようにした商品陳列什器における棚板の取付構造を提供することを目的としている。
【課題を解決するための手段】
【０００７】
本発明によると、上記課題は次のようにして解決される。
(１)  左右１対の支柱の対向面に係止孔を設け、各係止孔に、前後方向を向くブラケットの後端に設けた外側方を向く係止爪を係止し、各ブラケットの前端に設けた前向き突部を、前記両ブラケット上に載置した棚板の前端より垂下する前面板に設けた係合凹部に嵌合し、かつ前記各ブラケットの後部上縁に設けた上向き突部を、前記棚板の水平部に設けた係合凹部に嵌合する。
【０００８】
(２)  上記(１)項において、ブラケットにおける前後方向を向く本体部の後部外側面を、各支柱の内面に当接させる。
【０００９】
(３)  上記(１)または(２)項において、棚板の前面板に設けた係合凹部を、前後方向を向く貫通孔とし、この貫通孔の前面を、前面板の前面に設けたプライスカードホルダにより覆う。
【００１０】
(４)  上記(１)〜(３)項のいずれかにおいて、棚板の後端に設けた後面板を水平部より垂下させ、その下端部を、ブラケットの後部上端に設けた下向き凹入段部に係合させる。
【００１１】
(５)  上記(１)〜(４)項のいずれかにおいて、棚板を、商品を載置する水平板と、その前端に固着した前面板とを備えるものとし、かつ前記水平板と前面板とを、透明または半透明のアクリル板により形成する。
【発明の効果】
【００１２】
本発明によると、次のような効果を奏することができる。
請求項１記載の発明によると、棚板の前部に上向きの外力が作用したときは、左右のブラケットの前端に設けた前向き突部が、棚板の前端より垂下する前面板に設けた係合凹部に嵌合されていることによって、棚板の前部がブラケットから脱落するのが防止され、棚板に左右方向の外力が作用したときは、左右のブラケットの後端に設けた外側方を向く係止爪が、左右１対の支柱の対向面に設けた係止孔に係止され、両ブラケットの前端に設けた前向き突部が、棚板の前端より垂下する前面板に設けた係合凹部に嵌合され、かつ各ブラケットの後部上縁に設けた上向き突部が、棚板の水平部に設けた係合凹部に嵌合されていることによって、棚板の左右方向のがたつき、各ブラケットの後端部を中心とする左右方向の揺動、および棚板の前後方向の移動やがたつき等が確実に防止される。
したがって、棚板にさまざまな方向から外力が加わった場合でも、棚板が、ブラケットおよび支柱から脱落したり、またはがたついたりすることがない。
また、左右の支柱の対向面に係止孔を設け、前面には設ける必要がないので、係止孔が支柱の前面に露呈している従来のもののように、美観を損ねることがなく、美麗な外観を呈することができる。
【００１３】
請求項２記載の発明によると、ブラケットにおける前後方向を向く本体部の後部外側面を、各支柱の内面に当接させてあるので、左右のブラケットの外側方向への回動が阻止され、またそれと、左右のブラケットが、前後２箇所で棚板と係合し、左右のブラケットが棚板を介して、互いに結合されているため、棚板の左右方向の揺れ動きや、ブラケットの後端部を中心とする回動等が、より確実に防止される。
特に、ブラケットの本体部の後部外側面を、各支柱の内面に当接させてあるので、特許文献２における、ブラケットの後端に設けた係止爪の側面を支柱の内側面に当接させるものより大きなブラケットの側方回動阻止力を得ることができる。
【００１４】
請求項３記載の発明によると、棚板の前面板に設けた係合凹部を、前後方向を向く貫通孔とし、この貫通孔の前面を、前面板の前面に設けたプライスカードホルダにより覆っているので、体裁がよい。
【００１５】
請求項４記載の発明によると、棚板の後端に設けた後面板を水平部より垂下させ、その下端部を、ブラケットの後部上端に設けた下向き凹入段部に係合させてあるので、棚板の前方への移動を、より確実に阻止することができる。
【００１６】
請求項５記載の発明によると、棚板を、商品を載置する水平板と、その前端に固着した前面板とを備えるものとし、かつ前記水平板と前面板とを、透明または半透明のアクリル板により形成してあるので、美麗な陳列棚を形成することができ、化粧品等の陳列用什器に好適に適用することができる。
【発明を実施するための最良の形態】
【００１７】
以下、本発明の一実施形態を、添付図面を参照して説明する。  
図１は、本発明の一実施形態を備える商品陳列什器の要部の分解斜視図である。
この商品陳列什器は、化粧品や貴金属等を美麗に陳列するためのものである。
図１に示すように、商品陳列什器における左右１対の支柱１、１の対向面(以下内面という)のやや前部には、複数の縦長の係止孔２が、上下方向に等間隔をもって、また互いに左右に対向するようにして設けられている。
【００１８】
等高をなす左右の所要の係止孔２、２には、前後方向を向くブラケット３、３の後端に設けた外側方を向く上下１対の下向きフック状の係止爪４、４が係止されている。
【００１９】
各ブラケット３は、前後方向を向く板状の本体部３ａを備えており、この本体部３ａの後部上端には、下向き凹入段部５が設けられており、この下向き凹入段部５に連続して、上方の係止爪４が設けられている。
また、本体部３ａの前端上部には、前向き突部６が、同じく後部上縁における下向き凹入段部５に近接した部分には、上向き突部７が設けられている。
【００２０】
図２〜図４に示すように、左右のブラケット３、３は、本体部３ａの後部外側面が、各支柱１の内面に当接するようにして、上下の係止爪４、４が、支柱１、１の係止孔２、２の下縁に係止されているので、左右のブラケット３、３の外側方向への回動が阻止されるようになっている。
【００２１】
図１に示すように、棚板８は、商品載置面を形成する水平板(水平部)９と、その左右の側端と後端と前端とに、上下両方向に突出するようにして固着された左右１対の側板１０、１０と後面板１１と前面板１２と、この前面板１２の前面に、下部に設けたスペーサ１３を介して固着することにより、前面板１２との間におけるスペーサ１３の上方に、プライスカード(図示略)を挿入しうるようにした透明板状のプライスカードホルダ１５とを備えている。
【００２２】
棚板８の左右方向の長さは、左右の支柱１、１の中心間の距離と等しくしてある。
また、水平板９、側板１０、１０、後面板１１、前面板１２、およびスペーサ１３は、いずれも透明または半透明のアクリル板等により形成するのが好ましい。
【００２３】
前面板１２における水平板９より下方の両側部には、前後方向を向く円形の貫通孔(係合凹部)１５、１５が設けられている。また、水平板９の後両側部にも、上下方向に貫通する円形の貫通孔１６、１６が設けられている。
【００２４】
図２〜図４に示すように、棚板８は、後面板１１の下端部が下向き凹入段部５に係合し、前向き突部６が前面板１２の貫通孔１５に、また上向き突部７が水平板９の貫通孔１６にそれぞれ嵌合し、かつ水平板９の下面が本体部３ａの上端に当接するようにして、左右のブラケット３、３上に載置されている。
【００２５】
このとき、前向き突部６が前面板１２の貫通孔１５に嵌合しているので、棚板８の前部とブラケット３の前部との上下方向および左右方向への相対移動が阻止され、上向き突部７が水平板９の貫通孔１６に嵌合しているので、棚板８の後部とブラケット３の後部との前後方向および左右方向への相対移動が阻止され、後面板１１の下端部が下向き凹入段部５に係合しているので、棚板８の前方への移動が強力に阻止され、また、左右のブラケット３の本体部３ａの後部外側面が、各支柱１の内面に当接するようにして、上下の係止爪４、４が、支柱１、１の係止孔２、２の下縁に係止されているので、左右のブラケット３、３の外側方向への回動が阻止される。
【００２６】
さらに、これらの相乗作用により、棚板８の前部がブラケット３から上方に離脱したり、左右のブラケット３、３および支柱１、１から脱落したりするのを防止することができるとともに、棚板８の左右方向のがたつき、各ブラケット３の後端部を中心とする左右方向の揺動、および棚板８の前後方向の移動やがたつき等を確実に防止することができる。
【００２７】
また、左右の支柱１、１の前面に係止孔２を設ける必要がないので、係止孔が支柱の前面に露呈する従来のもののように、美観を損ねることがなく、美麗な外観を呈することができる。
【００２８】
しかも、貫通孔１５の前面を、前面板１２の前面に設けたプライスカードホルダ１４により覆っているので、貫通孔１５が露呈することがなく、体裁がよい。
【００２９】
本発明は、上記実施形態のみに限定されるものではなく、幾多の変形した態様での実施が可能である。
例えば、貫通孔１５、１６を、貫通しない凹部としたり、その形状を、円形以外の四角形その他の形状としてもよい。
また、棚板８の水平板９を、水平とした鋼板の側端部を下方に向かってコ字状に折り返し、その折り返した下方の水平部に、貫通孔１６を設けてもよい。
【図面の簡単な説明】
【００３０】
【図１】本発明の一実施形態を備える商品陳列什器の要部の分解斜視図である。
【図２】同じく、要部の縦断側面図である。
【図３】図２のIII−III線に沿う横断平面図である。
【図４】図２のIV−IV線に沿う縦断面図である。
【符号の説明】
【００３１】
１  支柱
２  係止孔
３  ブラケット
３ａ本体部
４  係止爪
５  下向き凹入段部
６  前向き突部
７  上向き突部
８  棚板
９  水平板(水平部)
１０  側板
１１  後面板
１２  前面板
１３  スペーサ
１４  プライスカードホルダ
１５、１６  貫通孔(係合凹部)
【図１】
2009090038.tif 000003
【図２】
2009090038.tif 000004
【図３】
2009090038.tif 000005
【図４】
2009090038.tif 000006